(57)【要約】【課題】剛性が高い材質を使用したとしても、玉のポケットの挿入時に損傷が生じにくくて、玉の潤滑性も向上できるスラスト玉軸受用保持器を提供すること。【解決手段】保持器４の軸方向の端部５０が、ポケット４１を取り囲むように位置する第１端面部６１と、第１端面部６１におけるポケット４１の周縁から軸方向の外方かつポケット４１の中心側に突出すると共に、互いに間隔をおいた状態で上記周縁に沿って延在する複数の爪状突起部６２と、第１端面部６１のポケット４１側とは反対側の端部に段部７１を介して連なると共に、第１端面部６１よりも軸方向の外方側に位置する第２端面部６３とを備えるようにする。爪状突起部６２と、第１端面部６１と、段部７１とが凹部８５を画定するようにする。【選択図】図２
2015169229.tif 000002
【特許請求の範囲】
【請求項１】
周方向に互いに間隔をおいて位置する複数のポケットを有する環状体からなるスラスト玉軸受用保持器において、
上記環状体の軸方向の少なくとも一方の端部は、
上記ポケットを取り囲むように位置する第１端面部と、
上記第１端面部における上記ポケットの周縁から上記軸方向の外方かつ上記ポケットの中心側に突出すると共に、互いに間隔をおいた状態で上記周縁に沿って延在する複数の爪状突起部と、
上記第１端面部の上記ポケット側とは反対側の端部に段部を介して連なると共に、上記第１端面部よりも上記軸方向の外方側に位置する第２端面部と
を備え、
上記爪状突起部と、上記第１端面部と、上記段部とで囲まれた凹部が存在することを特徴とするスラスト玉軸受用保持器。
【請求項２】
請求項１に記載のスラスト玉軸受用保持器において、
上記第２端面部は、上記爪状突起部よりも上記軸方向の外方側に位置していることを特徴とするスラスト玉軸受用保持器。
【請求項３】
請求項１または２に記載のスラスト玉軸受用保持器において、
上記周縁に沿った方向に互いに隣接する二つの上記爪状突起部の間に位置すると共に、上記ポケットから上記環状体の径方向の内方側に上記径方向に沿って延在する径方向延在溝が存在することを特徴とするスラスト玉軸受用保持器。
【請求項４】
軌道溝を有する第１軌道輪と、
軌道溝を有する第２軌道輪と、
上記第１軌道輪の軌道溝と、上記第２軌道輪の軌道溝との間に配置される複数の玉と、
上記複数の玉を保持する請求項１乃至３のいずれか一つに記載のスラスト玉軸受用保持器と
を備えることを特徴とするスラスト玉軸受。
【発明の詳細な説明】
【技術分野】
【０００１】
本発明は、スラスト玉軸受用保持器に関する。また、本発明は、スラスト玉軸受に関する。
【背景技術】
【０００２】
従来、スラスト玉軸受用保持器（以下、単に、保持器という）としては、特開２００８−２２３９７０号公報（特許文献１）に記載されているものがある。この保持器は、環状体からなり、その環状体は、互いに間隔をおいて位置すると共に、環状体を軸方向に貫通する複数のポケットを有している。
【０００３】
上記各ポケットは、複数の爪状突起部を有し、各爪状突起部は、ポケットの開口の周縁で凸状に突出している。上記複数の爪状突起部は、ポケットの開口の縁で互いに間隔をおいて位置している。上記各爪状突起部の軸方向の高さは、保持器の径方向の外方側の端からポケットの中心に行くにしたがって高くなっている。上記爪状突起部を、設けることにより、爪状突起部で、玉を抱くようにして、玉がポケットから脱落することを防止している。
【先行技術文献】
【特許文献】
【０００４】
【特許文献１】特開２００８−２２３９７０号公報（第３図）
【発明の概要】
【発明が解決しようとする課題】
【０００５】
本発明者は、上記従来の保持器に、以下の問題が存在することを見いだした。
【０００６】
上記従来の保持器の場合、爪状突起部が弾性変形しにくくなるため、玉をポケットに組み込む際に、玉と爪状突起部とが接触することで、爪状突起部に損傷が発生し易くなる。
【０００７】
また、上記従来の保持器では、爪状突起部の軸方向の高さが、保持器の径方向の外方側の端からポケットの中心に行くにしたがって高くなっているから、潤滑剤がポケットの近傍に存在しにくくて、潤滑剤がポケットの内面等の摺動部に到達しにくいという問題もある。
【０００８】
そこで、本発明の課題は、剛性が高い材質を使用したとしても、玉のポケットの挿入時に損傷が生じにくくて、かつ、摺動部の潤滑性も向上できるスラスト玉軸受用保持器を提供することにある。
【０００９】
また、本発明の課題は、保持器が損傷しにくくて、摺動部の潤滑性も向上できるスラスト玉軸受を提供することにある。
【課題を解決するための手段】
【００１０】
上記課題を解決するため、この発明のスラスト玉軸受用保持器は、
周方向に互いに間隔をおいて位置する複数のポケットを有する環状体からなるスラスト玉軸受用保持器において、
上記環状体の軸方向の少なくとも一方の端部は、
上記ポケットを取り囲むように位置する第１端面部と、
上記第１端面部における上記ポケットの周縁から上記軸方向の外方かつ上記ポケットの中心側に突出すると共に、互いに間隔をおいた状態で上記周縁に沿って延在する複数の爪状突起部と、
上記第１端面部の上記ポケット側とは反対側の端部に段部を介して連なると共に、上記第１端面部よりも上記軸方向の外方側に位置する第２端面部と
を備え、
上記爪状突起部と、上記第１端面部と、上記段部とで囲まれた凹部が存在することを特徴としている。
【００１１】
本発明によれば、環状の爪状突起部が存在しなくて、複数の爪状突起部が、ポケットの周縁に互いに間隔をおいて位置する構成であることに加えて、各爪状突起部の上記周縁の径方向の外方側に凹部が存在する。したがって、その凹部によって、爪状突起部を更に変形し易くできる。したがって、スラスト玉軸受用保持器（以下、単に、保持器という）の材質として、剛性が高い材質を採用したとしても、爪状突起部に損傷が生じにくくなって、ポケットへの玉の挿入時等に保持器に損傷が生じにくくなる。
【００１２】
また、本発明によれば、各爪状突起部の上記周縁の径方向の外方側に凹部が存在するから、潤滑剤をこの凹部に収容できる。したがって、ポケットの近傍に潤滑剤をストックできるから、潤滑剤が、この凹部から上記周縁の方向に隣接する爪状突起部の間等を通過し易くなって、潤滑剤がポケットの内面等に到達し易くなる。したがって、摺動部の潤滑性も向上できる。
【００１３】
また、一実施形態では、
上記第２端面部が、上記爪状突起部よりも上記軸方向の外方側に位置している。
【００１４】
上記実施形態によれば、第２端面部が、爪状突起部よりも軸方向の外方側に位置し、第２端面部が、爪状突起部よりも軸方向の外方側に突出している。したがって、第２端面部で、爪状突起部を保護できて、保持器の搬送時等に爪状突起部が損傷しにくくなる。
【００１５】
また、一実施形態では、
上記周縁に沿った方向に互いに隣接する二つの上記爪状突起部の間に位置すると共に、上記ポケットから上記環状体の径方向の内方側に上記径方向に沿って延在する径方向延在溝が存在する。
【００１６】
上記実施形態によれば、ポケットから保持器の径方向の内方側に延在する径方向延在溝が存在するから、保持器の遠心力によって潤滑剤を径方向延在溝を介して径方向の内方側からポケット内まで効率的に流動させることができる。したがって、摺動部の潤滑性を更に向上できる。
【００１７】
また、上記実施形態によれば、ポケットから環状体の径方向の内方側に延在する方向に径方向延在溝が存在して爪状突起部が存在しない。したがって、環状体の径方向のより端部に近い箇所に爪状突起部が存在しないから、保持器を射出成形で製造する場合において、金型を製造し易くなり、また、離型も容易に行うことができる。
【００１８】
また、一実施形態では、
上記第１端面部は、上記環状体の径方向の内方側の端部まで広がると共に、上記環状体の径方向の外方側の端部まで広がっている。
【００１９】
上記実施形態によれば、凹部の底を構成する第１端面部が、環状体の径方向の内方側および外方側の端部まで広がっているから、潤滑剤を外部から第２端面部よりも軸方向の高さが低い第１端面部に直接流動させることができる。したがって、潤滑剤を、更に円滑にポケット内に流動させることができる。また、特に、上記径方向延在溝が存在する場合には、第１端面部が、環状体の径方向の内方側および外方側の端部まで広がっていることと、径方向延在溝が存在することとの相乗効果によって、潤滑剤が格段にポケットに到達し易くなって、摺動部の潤滑性を格段に向上させることができる。
【００２０】
また、本発明のスラスト玉軸受は、
軌道溝を有する第１軌道輪と、
軌道溝を有する第２軌道輪と、
上記第１軌道輪の軌道溝と、上記第２軌道輪の軌道溝との間に配置される複数の玉と、
上記複数の玉を保持する本発明のスラスト玉軸受用保持器と
を備えることを特徴としている。
【００２１】
本発明によれば、保持器が損傷しにくくて、摺動部の潤滑性も向上できる。
【発明の効果】
【００２２】
本発明によれば、剛性が高い材質を使用したとしても、玉のポケットの挿入時に損傷が生じにくくて、かつ、玉の潤滑性も向上できるスラスト玉軸受用保持器を実現できる。
【図面の簡単な説明】
【００２３】
【図１】本発明の一実施形態のスラスト玉軸受の径方向の模式断面図である。
【図２】上記スラスト玉軸受が備えるスラスト玉軸受用保持器の一部の斜視図である。
【図３】図２に矢印Ａで示す方向の模式断面図である。
【発明を実施するための形態】
【００２４】
以下、本発明を図示の形態により詳細に説明する。
【００２５】
図１は、本発明の一実施形態のスラスト玉軸受の径方向の模式断面図である。
【００２６】
このスラスト玉軸受（以下、単に、玉軸受という）は、例えば、冷蔵庫のコンプレッサの回転軸のアキシアル荷重を好適に受けることができ、冷媒としてのコンプレッサオイルの存在下に配置可能となっている。この玉軸受は、第１軌道輪１と、第２軌道輪２と、複数の玉３と、ＰＰＳ（ポリフェニレンサルファイド）樹脂からなる環状のスラスト玉軸受用保持器（以下、単に、保持器という）４とを備える。
【００２７】
上記第１軌道輪１は、軸方向の一方側の端面に、環状の軌道溝１１を有する一方、第２軌道輪２は、軸方向の他方側の端面に、環状の軌道溝２１を有する。上記保持器４は、射出成形によって形成されている。上記複数の玉３は、第１軌道輪１の軌道溝１１と第２軌道輪２の軌道溝２１との間に保持器４によって保持された状態で周方向に互いに間隔をおいて位置している。
【００２８】
図２は、上記保持器４における周方向の位相の一部を示す斜視図である。
【００２９】
上記保持器４は、環状体３０からなり、その環状体３０は、周方向に互いに間隔をおいて位置する複数のポケット４１を有している。上記保持器４の軸方向の一方側の端面と、保持器４の軸方向の他方側の端面は、同一の構造を有している。上記一方側の端面と上記他方側の端面とを略面対称とできる平面（以下、第１平面という）が存在している。上記保持器４は、その第１平面に対して略面対称になっている。
【００３０】
上記環状体３０すなわち保持器４の軸方向の各端部５０は、第１端面部６１と、四つの爪状突起部６２と、第２端面部６３とを有する。上記第１端面部６１は、平面からなっている。上記第１端面部６１と、上記第１平面とは、略平行になっている。図２に示すように、上記第１端面部６１は、ポケット４１の周縁を全周に亘って取り囲むように位置している。
【００３１】
上記各爪状突起部６２は、第１端面部６１におけるポケット４１の周縁から突出している。上記各爪状突起部６２は、ポケット４１の周縁に沿って延在している。上記四つの爪状突起部６２は、全て同一形状である。上記四つの爪状突起部６２は、ポケット４１の周縁の周方向に互いに間隔をおいて位置している。四つの爪状突起部６２は、ポケット４１の周縁の周方向に等間隔に配置されている。図２に示すように、上記四つの爪状突起部６２は、保持器４の径方向と、保持器４の軸方向と、その四つの爪状突起部６２が囲んでいるポケット４１の中心とを含む平面（以下、第２平面という）に対して略面対称となっている。上記第２平面が通過するポケット４１の周縁を取り囲んでいる四つの爪状突起部６２の夫々は、その第２平面に対して間隔をおいて位置している。
【００３２】
この保持器４は、四つの径方向延在溝７０を有し、各径方向延在溝７０は、ポケット４１からポケット４１の周縁の径方向に延在している。上記四つの径方向延在溝７０は、ポケット４１の周縁方向に略等間隔に配置されている。上記四つの径方向延在溝７０は、全て同一の形状を有している。上記四つの径方向延在溝７０のうちの一の径方向延在溝７０は、ポケット４１から保持器４の径方向に沿って径方向の内方側に延在している。言い換えると、四つの径方向延在溝７０は、ポケット４１から保持器４の径方向に沿って径方向の内方側に延在する一の径方向延在溝７０を含んでいる。その一の径方向延在溝７０は、図２においてポケット４１の周縁方向に互いに隣接する二つの爪状突起部６２ａ,６２ｂの間に位置している。上記二つの爪状突起部６２ａ,６２ｂにおいて互いに対向している周縁方向の二つの端面は、その一の径方向延在溝７０の二つの側面を構成している。上記第１端面部６１において上記二つの側面に挟まれている部分は、その一の径方向延在溝７０の底面を構成している。
【００３３】
上記第２端面部６３は、第１端面部６１のポケット４１側とは反対側の端部に段部７１を介して連なっている。上記第２端面部６３は、第１端面部６１を段部７１を介して取り囲むように位置している。上記第２端面部６３は、第１端面部６１と略平行になっている。上記第２端面部６３は、第１端面部６１よりも保持器４の軸方向の外方側に位置している。
【００３４】
図２に示すように、上記第１端面部６１は、保持器４（環状体３０）の径方向の内方側の端部８０まで広がると共に、保持器４（環状体３０）の径方向の外方側の端部８１まで広がっている。換言すると、上記第２端面部６３は、ポケット４１を全周に亘って取り囲んでおらず、ポケット４１をポケット４１の周縁方向の一部の位相のみで部分的に覆っている。
【００３５】
上記段部７１は、第１部分７６と、第２部分７７とからなり、第１部分７６と、第２部分７７とは、互いに間隔をおいて位置している。図２に示すように、第１部分７６と、第２部分７７との夫々は、円弧状の形状を有している。上記第１部分７６と、第２部分７７との夫々は、ポケット４１を部分的に取り囲むように湾曲している。第１部分７６と、第２部分７７との夫々は、保持器４の径方向の内方の端部から外方の端部まで延在している。上記第１部分７６と、第２部分７７とは、保持器４の周方向に対向している。上記第１部分７６と、第２部分７７とは、それらの部分７６,７７が部分的に取り囲んでいるポケット４１を通過する上記第２平面に対して略面対称になっている。上記第１部分７６および第２部分７７の夫々は、それらの部分７６,７７が部分的に取り囲んでいるポケット４１を通過する上記第２平面に対して間隔をおいて位置している。
【００３６】
図３は、図２のＡＡ線断面図であり、ポケット４１を挟んで対向する二つの爪状突起部６２の夫々の周縁方向の中央部と、保持器４の軸方向とを含む平面で保持器４を切断したときの断面図である。
【００３７】
図３に示すように、上記爪状突起部６２は、ポケット４１の周縁から軸方向の外方かつポケット４１の中心側に突出している。また、上記爪状突起部６２と、第１端面部６１と、段部７１とは、凹部８５を画定している。上記爪状突起部６２は、凹部８５の一方側の側面を構成し、段部７１は、凹部８５の他方側の側面を構成し、第１端面部６１は、凹部８５の底面を構成している。図３に示すように、上記第２端面部６３は、爪状突起部６２よりも軸方向の外方側に位置している。上記段部７１は、軸方向の外方側に行くにしたがって、軸方向に対してポケット４１の中心側から離れる方向に傾斜している。図３では、丸みをおびて形成されている。
【００３８】
上記実施形態によれば、爪状突起部６２が、環状構造でなくて、複数の爪状突起部６２が、ポケット４１の周縁に互いに間隔をおいて位置する構成であることに加えて、各爪状突起部６２の上記周縁の径方向の外方側に凹部８５が存在する。したがって、その凹部８５によって爪状突起部６２の基端部分の厚みが従来よりも薄くなるため、爪状突起部６２を更に変形し易くできる。したがって、保持器４の材質として、剛性が高いＰＰＳ樹脂を採用したとしても、ポケット４１への玉３の挿入時等に保持器４に損傷が生じにくくなる。
【００３９】
また、上記実施形態によれば、各爪状突起部６２の上記周縁の径方向の外方側に凹部８５が存在するから、潤滑剤をこの凹部８５に保持できる。したがって、ポケット４１の近傍に潤滑剤をストックできるから、潤滑剤が、この凹部８５から周縁方向に隣接する爪状突起部６２の間等を通過し易くなって、潤滑剤がポケット４１の内面等に到達し易くなる。したがって、摺動部の潤滑性も向上できる。
【００４０】
また、上記実施形態によれば、第２端面部６３が、爪状突起部６２よりも軸方向の外方側に位置し、第２端面部６３が、爪状突起部６２よりも軸方向の外方側に突出しているから、第２端面部６３で、爪状突起部６２を保護できて、保持器４の搬送時等に、爪状突起部６２が損傷しにくくなる。仮に、第２端面部が、爪状突起部よりも軸方向の内方側に位置しているとすると、例えば、保持器を、運搬時等に平面上に載置等した場合に、高さが最も高い爪状突起部が、その平面等に接触することになって、剛性が低い爪状突起部が損傷する可能性が高くなるのである。
【００４１】
また、上記実施形態によれば、ポケット４１から保持器４の径方向の内方側に延在する径方向延在溝７０が存在するから、保持器４の遠心力によって潤滑剤を径方向延在溝７０を介して径方向の内方側からポケット４１まで効率的に流動させることができる。したがって、潤滑性を更に向上できる。
【００４２】
また、上記実施形態によれば、ポケット４１から保持器４の径方向の内方側に延在する方向に径方向延在溝７０が存在して爪状突起部６２が存在しない。したがって、保持器４の径方向のより端部に近い箇所に爪状突起部６２が存在しないから、保持器４を射出成形するときの金型を製造し易くなり、また、離型も容易に行うことができる。
【００４３】
また、上記実施形態によれば、凹部８５の底面を構成する第１端面部６１が、環状体の径方向の内方側および外方側の端部８０,８１まで広がっているから、潤滑剤を外部から第２端面部６３よりも軸方向の高さが低い第１端面部６１に直接流動させることができる。したがって、潤滑剤を、更に円滑にポケット内に流動させることができる。また、特に、この実施形態の場合には、第１端面部６１が、保持器４の径方向の内方側および外方側の端部まで広がっていることと、ポケット４１から保持器４の径方向の内方側に延在する径方向延在溝７０が存在することとの相乗効果によって、潤滑剤が格段にポケット４１に到達し易くなって、摺動部の潤滑性を格段に向上させることができる。
【００４４】
尚、上記実施形態では、四つの爪状突起部６２を、各ポケット４１の周縁方向に互いに間隔をおいて配置したが、この発明では、二つ、三つまたは五以上の爪状突起部６２を、各ポケット４１の周縁方向に互いに間隔をおいて配置しても良い。
【００４５】
また、上記実施形態では、複数の爪状突起部６２を、各ポケット４１の周縁方向に互いに間隔をおいて等間隔に配置した。しかしながら、この発明では、複数の爪状突起部を、各ポケットの周縁方向に互いに間隔をおいて非等間隔に配置しても良い。
【００４６】
また、上記実施形態では、各ポケット４１の周縁に、同一構造の複数の爪状突起部６２を配置したが、この発明では、各ポケットの周縁に配置した複数の爪状突起部が、互いに異なる二以上の爪状突起部を有しても良い。
【００４７】
また、上記実施形態では、全てのポケット４１の構造（ポケット４１を取り囲む複数の爪状突起部６２の構造およびその配置方法）が、同一であったが、この発明では、全てのポケット４１の構造が、同一でなくても良く、構造が異なる二以上のポケットを有しても良い。
【００４８】
また、上記実施形態では、保持器４の軸方向の一方側の端面と、保持器４の軸方向の他方側の端面とが略面対称になる第１平面が存在したが、この発明では、保持器の軸方向の一方側の端面と、保持器の軸方向の他方側の端面とが略面対称になる平面が存在しなくても良く、保持器の軸方向の一方側の端面の構造と、保持器の軸方向の他方側の端面の構造とが、異なっていても良い。例えば、保持器の軸方向の一方側の端部と、軸方向の他方の端部とで、爪が存在するポケットの周縁方向の位相が同じでなくても良く、保持器の軸方向の一方側の端部と、軸方向の他方の端部とで、第１端面部からの爪状突起部の高さが異なっていても良い。
【００４９】
また、上記実施形態では、第１端面部６１および第２端面部６３が、平面であったが、この発明では、第１端面部と第２端面部とのうちの少なくとも一方の端面部は、平面でなくても良く、例えば、曲面であっても良く、曲面と平面とを接続した面であっても良い。尚、この場合、「第２端面部が、第１端面部よりも軸方向の外方側に位置するという要件」は、第２端面部の軸方向の最内方に位置する箇所が、第１端面部の軸方向の最外方に位置する箇所よりも軸方向の外方側に位置していれば満たされる。
【００５０】
また、上記実施形態では、第２端面部６３が、爪状突起部６２よりも保持器４の軸方向の外方側に位置していた。しかしながら、この発明では、第２端面部の軸方向の最外方の箇所が、爪状突起部の軸方向の最外方の箇所よりも保持器の軸方向の内方側に位置しても良く、または、第２端面部の軸方向の最外方の箇所の軸方向の存在位置が、爪状突起部の軸方向の最外方の箇所の軸方向の存在位置と同一であっても良い。
【００５１】
また、上記実施形態では、保持器４が、四つの径方向延在溝７０を有し、各径方向延在溝７０が、ポケット４１からポケット４１の周縁の径方向に延在していた。また、上記四つの径方向延在溝７０が、ポケット４１の周縁方向に略等間隔に配置されていて、四つの径方向延在溝７０が、全て同一の形状であった。しかしながら、この発明では、保持器が、ポケットの周縁の径方向に延在する二、三または五以上の径方向延在溝を有しても良い。また、この発明では、複数の径方向延在溝は、ポケットの周縁方向に略等間隔でない間隔で配置されても良い。また、この発明では、複数の径方向延在溝に、二以上の形状が異なる径方向延在溝が含まれていても良い。
【００５２】
また、上記実施形態では、ポケット４１から保持器４の径方向の内方側に延在する方向に爪状突起部６２が存在せず、その方向に、ポケット４１から保持器４の径方向の内方側に延在する径方向延在溝７０が存在していた。しかしながら、この発明では、ポケットから保持器の径方向の内方側に延在する方向に爪状突起部が存在しても良く、ポケットから保持器の径方向の内方側に延在する径方向延在溝が存在しなくても良い。この発明では、爪状突起部は、ポケットの周縁方向の位相において如何なる位相に存在しても良い。
【００５３】
また、上記実施形態では、第２端面部６３は、ポケット４１を、そのポケット４１の周縁方向に全周に亘って取り囲まずに、その周縁方向の一部の位相のみを取り囲んでいたが、この発明では、第２端面部は、ポケットを、そのポケットの周縁方向に全周に亘って取り囲む構成であっても良い。尚、この場合、第１端面部が、保持器の径方向の内方の端部に対して間隔をおいて位置し、また、保持器の径方向の外方の端部に対して間隔をおいて位置することは言うまでもない。
【００５４】
また、上記実施形態では、上記段部７１が、保持器４の軸方向の外方に行くにしたがって、軸方向に対して、ポケット４１の中心側から離れる方向に傾斜していた。しかしながら、この発明では、段部は、保持器の軸方向の外方に行くにしたがって、軸方向に対して、ポケットの中心側から離れる方向に傾斜しても良い。または、この発明では、段部は、正確に保持器の軸方向に延在しても良く、または、軸方向の外方に行くにしたがって、ポケットの中心側に近づく方向に傾斜しても良い。尚、この発明では、第１端面部と、第２端面部とを接続する段部は、平面であっても良く、曲面であっても良く、または、平面と曲面とを接続してなる面であっても良い。
【００５５】
また、上記実施形態では、爪状突起部６２が、保持器４の軸方向の一方側の端部と、保持器の軸方向の他方側の端部との両方に存在していたが、この発明では、爪状突起部は、保持器の軸方向の片側の端部のみに存在しても良い。
【００５６】
また、上記実施形態では、保持器４が、ＰＰＳ樹脂からなっていたが、この保持器の材質は、ＰＰＳ樹脂以外の樹脂材料であっても良く、保持器の材質は、例えば、ナイロン４６や、ナイロン６６や、フェノール樹脂や、ＰＥＥＫ（ポリエーテルエーテルケトン）樹脂等であっても良く、保持器に使用できる公知の如何なる樹脂であっても良い。また、保持器の材質は、金属であっても良い。
【００５７】
また、上記実施形態の玉軸受は、冷蔵庫のコンプレッサに搭載されていたが、この発明の玉軸受は、冷蔵庫のコンプレッサ以外の如何なる家電製品や、如何なる産業機械や、如何なる建設機械に搭載されても良い。この発明の玉軸受は、如何なる回転軸のアキシアル荷重を受ける用途で用いられても良い。また、上記実施形態および変形例で説明した構成のうちの二以上の構成を組み合わせて新たな実施形態を構築できることは、勿論である。
【符号の説明】
【００５８】
１  第１軌道輪
２  第２軌道輪
３  玉
４  保持器
１１  第１軌道輪の軌道溝
２１  第２軌道輪の軌道溝
３０  環状体
４１  ポケット
５０  保持器の軸方向の端部
６１  第１端面部
６２  爪状突起部
６３  第２端面部
７０  径方向延在溝
７１  段部
８０  保持器の径方向の内方側の端部
８１  保持器の径方向の外方側の端部
８５  凹部
【図１】
2015169229.tif 000003
【図２】
2015169229.tif 000004
【図３】
2015169229.tif 000005